(57)【要約】  スキミングの意図を削ぎ得る新たなスキミング対策技術を提案する。カード取扱機構１００は、キャッシュカード９０の挿入を受け付ける挿入口１３０と、挿入口１３０から突出する突出部２００とを備え、突出部２００は、案内面２０２および第１の制限部３１０を有する。案内面２０２は、キャッシュカード９０の挿入および排出を案内する面を構成し、キャッシュカード９０の挿入および排出の際にキャッシュカード９０の磁気ストライプ９８に対向する。第１の制限部３１０は、案内面２０２を隔てて挿入口１３０に対向し、キャッシュカード９０の挿入方向Ｄｉに沿った案内面２０２におけるキャッシュカード９０の移動範囲を制限する。
2013014706.tif 000002
【特許請求の範囲】
【請求項１】
情報が記録された記録媒体を取り扱う記録媒体取扱装置であって、
前記記録媒体が挿入される挿入口と、
前記挿入口から突出する突出部と
を備え、
前記記録媒体には、前記記録媒体の外部から前記情報を読み取り可能な読取可能部が設けられており、
前記突出部は、
前記挿入口への前記記録媒体の挿入および前記挿入口からの前記記録媒体の排出を案内する面を構成し、前記記録媒体を案内する際に前記記録媒体の前記読取可能部に対向する案内面と、
前記案内面を隔てて前記挿入口に対向し、前記挿入口に対する前記記録媒体の挿入方向に沿った前記案内面における前記記録媒体の移動範囲を制限する第１の制限部と
を含む、記録媒体取扱装置。
【請求項２】
請求項１に記載の記録媒体取扱装置であって、
前記挿入方向に沿った前記第１の制限部と前記挿入口との間の長さは、前記挿入口に挿入される状態の前記記録媒体における前記挿入方向に沿った前記読取可能部の長さよりも短い、記録媒体取扱装置。
【請求項３】
請求項１または請求項２に記載の記録媒体取扱装置であって、
前記挿入方向に直交する直交方向に沿った前記案内面の幅は、前記挿入口に挿入される状態の前記直交方向に沿った前記記録媒体の幅よりも狭い、記録媒体取扱装置。
【請求項４】
請求項１ないし請求項３のいずれか一項に記載の記録媒体取扱装置であって、
前記突出部は、更に、前記記録媒体の挿入および排出が可能な隙間を空けて前記案内面に対向し、前記案内面に対する垂直方向に沿った前記案内面における前記記録媒体の移動範囲を制限する第２の制限部を含む、記録媒体取扱装置。
【請求項５】
請求項４に記載の記録媒体取扱装置であって、
前記挿入方向に直交する直交方向に沿った前記第２の制限部の幅は、前記直交方向に沿った前記案内面の幅よりも狭い、記録媒体取扱装置。
【請求項６】
請求項１ないし請求項５のいずれか一項に記載の記録媒体取扱装置であって、
前記突出部は、更に、前記挿入方向から見た前記案内面の両側のうち、前記挿入口に挿入される状態で前記記録媒体の前記読取可能部が通過する側に、前記挿入方向に沿って形成され、前記案内面における前記挿入方向に直交する直交方向に沿った前記記録媒体の移動範囲を制限する第３の制限部を含む、記録媒体取扱装置。
【請求項７】
前記案内面は透明である請求項１ないし請求項６のいずれか一項に記載の記録媒体取扱装置。
【請求項８】
請求項１ないし請求項７のいずれか一項に記載の記録媒体取扱装置を備え、前記記録媒体から読み取った情報に基づいて現金を取り扱う現金取扱装置。
【発明の詳細な説明】
【技術分野】
【０００１】
本発明は、情報が記録された記録媒体を取り扱う記録媒体取扱装置に関する。
【背景技術】
【０００２】
記録媒体取扱装置としては、現金自動取引装置（Automated Teller Machine、以下「ＡＴＭ」とも呼ぶ）や現金自動支払機（Cash Dispenser、以下「ＣＤ」とも呼ぶ）などの現金取扱装置に組み込まれ、磁気ストライプカードやＩＣカードなどの記録媒体を取り扱うものが普及している。近年、このような記録媒体に記録されている情報を不正に読み取る犯罪（いわゆるスキミング（Skimming））が増加傾向にある。スキミングの一形態としては、カード情報を不正に読み取るスキミング装置をＡＴＭのカード挿入口に取り付けることによって行われるものがある。【０００３】
従来、このようなスキミングへの対策として、例えば、カード挿入口に対するカメラの焦点距離の変化に基づいてスキミング装置の取り付けを検知する技術（特許文献１）や、カード挿入口を一定時間毎にカメラで撮影した画像の変化に基づいてスキミング装置の取り付けを検知する技術（特許文献２）が提案されていた。
【先行技術文献】
【特許文献】
【０００４】
【特許文献１】特開２００８−２２５６７０号公報
【特許文献２】特開２００７−２８０３１７号公報
【発明の概要】
【発明が解決しようとする課題】
【０００５】
従来のスキミング対策によってもスキミングの防止は可能であるが、スキミングは不正な意図をもってなされることから、その意図を削ぐには、多種多様なスキミング対策を提案することが要請されている。【０００６】
本発明は、上記した課題を踏まえ、スキミングの意図を削ぎ得る新たなスキミング対策技術を提案することを目的とする。
【課題を解決するための手段】
【０００７】
本発明は、上述の課題の少なくとも一部を解決するためになされたものであり、以下の形態または適用例として実現することが可能である。【０００８】
［適用例１］適用例１の記録媒体取扱装置は、情報が記録された記録媒体を取り扱う記録媒体取扱装置であって、前記記録媒体が挿入される挿入口と、前記挿入口から突出する突出部とを備え、前記記録媒体には、前記記録媒体の外部から前記情報を読み取り可能な読取可能部が設けられており、前記突出部は、前記挿入口への前記記録媒体の挿入および前記挿入口からの前記記録媒体の排出を案内する面を構成し、前記記録媒体を案内する際に前記記録媒体の前記読取可能部に対向する案内面と、前記案内面を隔てて前記挿入口に対向し、前記挿入口に対する前記記録媒体の挿入方向に沿った前記案内面における前記記録媒体の移動範囲を制限する第１の制限部とを含むことを特徴とする。この適用例によれば、案内面によって、記録媒体の挿入および排出の際に記録媒体の読取可能部から情報を読み取り可能な位置へのスキミング装置の取り付けを防止することができる。また、第１の制限部によって、案内面における挿入口側とは反対側の端部にスキミング装置を取り付けることによるスキミングを防止することができる。【０００９】
［適用例２］適用例１の記録媒体取扱装置において、前記挿入方向に沿った前記第１の制限部と前記挿入口との間の長さは、前記挿入口に挿入される状態の前記記録媒体における前記挿入方向に沿った前記読取可能部の長さよりも短いと良い。この適用例によれば、挿入時および排出時に案内面に対向する記録媒体の領域が制限されるため、案内面に薄型や埋込型のスキミング装置が取り付けられた場合であっても、そのようなスキミング装置による記録媒体の読取可能部に対するアクセスを防止することができる。【００１０】
［適用例３］適用例１または適用例２の記録媒体取扱装置において、前記挿入方向に直交する直交方向に沿った前記案内面の幅は、前記挿入口に挿入される状態の前記直交方向に沿った前記記録媒体の幅よりも狭いと良い。この適用例によれば、案内面上における記録媒体をユーザが手で容易に取り扱うことができ、記録媒体を挿入および排出する際の操作性を向上させることができる。【００１１】
［適用例４］適用例１ないし適用例３のいずれかの記録媒体取扱装置において、前記突出部は、更に、前記記録媒体の挿入および排出が可能な隙間を空けて前記案内面に対向し、前記案内面に対する垂直方向に沿った前記案内面における前記記録媒体の移動範囲を制限する第２の制限部を含むとしても良い。この適用例によれば、案内面に対向する第２の制限部によって、案内面に対するスキミング装置の取り付けを防止することができる。また、案内面にスキミング装置が取り付けられ、案内面と第２の制限部との間における記録媒体を挿入するための隙間が狭まることにより、スキミング装置が取り付けられた状態での記録媒体の挿入を抑制し、スキミング装置による記録媒体からの情報の読み取りを防止することができる。【００１２】
［適用例５］適用例４の記録媒体取扱装置において、前記挿入方向に直交する直交方向に沿った前記第２の制限部の幅は、前記直交方向に沿った前記案内面の幅よりも狭いと良い。この適用例によれば、案内面と第２の制限部との間における記録媒体をユーザが手で容易に取り扱うことができ、記録媒体を挿入および排出する際の操作性を向上させることができる。【００１３】
［適用例６］適用例１ないし適用例５のいずれかの記録媒体取扱装置において、前記突出部は、更に、前記挿入方向から見た前記案内面の両側のうち、前記挿入口に挿入される状態で前記記録媒体の前記読取可能部が通過する側に、前記挿入方向に沿って形成され、前記案内面における前記挿入方向に直交する直交方向に沿った前記記録媒体の移動範囲を制限する第３の制限部を含むとしても良い。この適用例によれば、第３の制限部によって、記録媒体の読取可能部が通過する案内面の領域に対するスキミング装置の取り付けを一層防止することができる。【００１４】
［適用例７］適用例１ないし適用例６のいずれかの記録媒体取扱装置において、前記案内面は透明であっても良い。この適用例によれば、案内面に取り付けられたスキミング装置を容易に発見することができる。【００１５】
［適用例８］適用例８の現金取扱装置は、適用例１ないし適用例７のいずれかの記録媒体取扱装置を備え、前記記録媒体から読み取った情報に基づいて現金を取り扱うことを特徴とする。この適用例によれば、現金取扱装置においてスキミング装置によるスキミングを防止することができる。【００１６】
本発明の形態は、記録媒体取扱装置および現金取扱装置に限るものではなく、例えば、記録媒体取扱装置を備えるカード読取装置、自動券売機、自動販売機などの他の形態に適用することもできる。また、本発明は、前述の形態に何ら限定されるものではなく、本発明の趣旨を逸脱しない範囲内において様々な形態で実施し得ることは勿論である。
【図面の簡単な説明】
【００１７】
【図１】現金自動取引装置（ＡＴＭ）の外観構成を示す説明図である。
【図２】キャッシュカードの外観構成を示す説明図である。
【図３】カード取扱機構の全体構成を示す説明図である。
【図４】挿入受付部の外観構成を示す斜視図である。
【図５】挿入受付部の外観構成をキャッシュカードと共に示す斜視図である。
【図６】挿入受付部を案内面に沿って切断した断面を上方から見た構成を示す説明図である。
【図７】第２実施例における挿入受付部を案内面に沿って切断した断面を上方から見た構成を示す説明図である。
【図８】第３実施例における挿入受付部の外観構成を示す斜視図である。
【図９】第３実施例における挿入受付部を右側から見た部分断面図である。
【図１０】第４実施例における挿入受付部の外観構成を示す斜視図である。
【図１１】図１０に示す矢視Ａ−Ａで切断した突出部を示す断面図である。
【発明を実施するための形態】
【００１８】
以上説明した本発明の構成および作用を一層明らかにするために、以下本発明を適用した現金取扱装置について説明する。
【００１９】
Ａ．第１実施例：
図１は、現金自動取引装置（ＡＴＭ）１００の外観構成を示す説明図である。図２は、キャッシュカード９０の外観構成を示す説明図である。ＡＴＭ１０は、現金自動預け払い機とも呼ばれ、金融機関、小売店、公共施設などに設置され、現金を取り扱う現金取扱装置であり、ユーザ（顧客）の操作に応じて、現金出納、残高照会などの各種取引を行う。ＡＴＭ１０は、各種取引に際し、キャッシュカード９０に記録されている情報に基づいてユーザの本人確認を行う。
【００２０】
図１には、互いに直交するＸＹＺ軸を図示した。図１のＸＹＺ軸は、後述する他の図に図示するＸＹＺ軸に対応する。本実施例におけるＡＴＭ１０の使用姿勢では、Ｘ軸はＡＴＭ１０の右側から左側に向かう方向がプラスとなり、Ｙ軸はＡＴＭ１０の後方から前方に向かう方向がプラスとなり、Ｚ軸は重力方向の下方から上方に向かう方向がプラスとなる。本明細書の説明では、Ｘ軸プラス方向を「左方向」、Ｘ軸マイナス方向を「右方向」とも呼び、Ｙ軸プラス方向を「前方」、Ｙ軸マイナス方向を「後方」とも呼び、Ｚ軸プラス方向を「上方」、Ｚ軸マイナス方向を「下方」とも呼ぶ。
【００２１】
ＡＴＭ１０は、複数の動作ユニットとして、カード取扱機構１００と、通帳取扱機構４００と、操作受付機構５００と、紙幣入出金機構６００と、硬貨入出金機構７００と、明細票発行機構８００とを備える。本実施例では、図１に示すように、ＡＴＭ１０は、前方（Ｙ軸プラス方向）を向いた前面パネル１２と、前方（Ｙ軸プラス方向）に迫り出した操作テーブル１４とを備え、前面パネル１２には、カード取扱機構１００、通帳取扱機構４００、紙幣入出金機構６００、硬貨入出金機構７００および明細票発行機構８００が設けられ、操作テーブル１４には、操作受付機構５００が設けられている。
【００２２】
ＡＴＭ１０の通帳取扱機構４００は、取引履歴を記載するための取引通帳を取り扱う動作ユニットであり、取引通帳に記録されている情報の読み取りや、取引通帳に対する印字などを行う。ＡＴＭ１０の紙幣入出金機構６００は、紙幣の入金および出金を取り扱う動作ユニットである。ＡＴＭ１０の硬貨入出金機構７００は、硬貨の入金および出金を取り扱う動作ユニットである。ＡＴＭ１０の明細票発行機構８００は、取引内容を印字した明細票を発行する動作ユニットである。
【００２３】
ＡＴＭ１０の操作受付機構５００は、ユーザとの間で情報をやり取りするユーザインタフェイスとしての動作ユニットであり、ユーザが認知可能に各種情報を表示すると共に、ユーザからの操作情報（例えば、取引項目、暗唱番号、取引金額）の入力を受ける。本実施例では、操作受付機構５００は、タッチパネルであるが、他の実施形態において、ディスプレイと操作ボタンとの組み合わせであっても良い。
【００２４】
ＡＴＭ１０のカード取扱機構１００は、情報が記録された記録媒体を取り扱う記録媒体取扱装置であり、本実施例では、記録媒体としてキャッシュカード９０を取り扱う動作ユニットである。本実施例では、カード取扱機構１００によって取り扱い可能なキャッシュカード９０の種類は、磁気ストライプカードであるが、他の実施形態において、磁気ストライプカードに加えて、または磁気ストライプカードに代えて、ＩＣチップ内蔵カードや生体認証カードを取り扱い可能としても良い。カード取扱機構１００の詳細については後述する。
【００２５】
図２に示すように、キャッシュカード９０は、四隅を丸面取りした長方形の薄板状を成し、表面９１と、裏面９２と、短縁部９３，９４と、長縁部９５，９６と、磁気ストライプ９８とを有する。本実施例では、キャッシュカード９０の外形寸法は、長さＬｃが８５．６０ｍｍ（ミリメートル）、幅Ｗｃが５３．９８ｍｍ、厚さｔｃが０．７６ｍｍである。
【００２６】
キャッシュカード９０の磁気ストライプ９８は、磁性体の帯であり、本実施例では、キャッシュカード９０の裏面９２に設けられ、一方の短縁部９３から他方の短縁部９４へと長縁部９５に沿って帯状に形成されている。磁気ストライプ９８は、磁性の変化によって情報を記憶する記憶部であると共に、キャッシュカード９０の外部から情報を読み取り可能な読取可能部でもある。本実施例では、磁気ストライプ９８には、ＡＴＭ１０における各種取引に必要な本人確認に用いられる情報（認証情報）が記録されている。
【００２７】
このような磁気ストライプ９８に記録されている情報を完全に読み取るためには、磁気ストライプ９８における短縁部９３から短縁部９４に至る磁性の変化を検出する必要がある。このことを踏まえたスキミング対策として、カード取扱機構１００は、磁気ストライプ９８における短縁部９３から短縁部９４に至る磁性変化をスキミング装置が検出できないように阻止する構成を備える。
【００２８】
図３は、カード取扱機構１００の全体構成を示す説明図である。図３には、ＡＴＭ１０の右側から見たカード取扱機構１００の部分断面を示した。カード取扱機構１００には、キャッシュカード９０がユーザによって挿入される。本実施例では、カード取扱機構１００は、裏面９２を下方に向けた状態で短縁部９３を先に向けて挿入されたキャッシュカード９０を、正常な挿入として受け入れ、表面９１を下方に向けた状態で挿入されたキャッシュカード９０や、短縁部９４側から挿入されたキャッシュカード９０を、異常な挿入として受け入れを拒否する。
【００２９】
カード取扱機構１００は、ユーザからキャッシュカード９０の挿入を受け付ける挿入受付部１１０と、挿入受付部１１０で受け付けられたキャッシュカード９０から情報を読み取るカード読取部１８０とを備える。本実施例では、挿入受付部１１０は、前面パネル１２の外側に設けられ、カード読取部１８０は、前面パネル１２の内側に設けられている。
【００３０】
カード取扱機構１００のカード読取部１８０は、カード口センサ１８２と、上部ローラ１８４と、下部ローラ１８５と、磁気ヘッド１８８とを備える。カード読取部１８０のカード口センサ１８２は、上部ローラ１８４および下部ローラ１８５によるキャッシュカード９０の搬送状態を検出するセンサである。カード読取部１８０の磁気ヘッド１８８は、キャッシュカード９０の磁気ストライプ９８における磁性の変化を検出して、磁気ストライプ９８に記録されている情報を読み取る。
【００３１】
カード読取部１８０の上部ローラ１８４および下部ローラ１８５は、両者の間にキャッシュカード９０の表面９１および裏面９２を巻き込むことによって、キャッシュカード９０を搬送するローラである。上部ローラ１８４および下部ローラ１８５は、挿入受付部１１０で受け付けられたキャッシュカード９０をカード読取部１８０の内部に向かう挿入方向Ｄｉへと搬送すると共に、挿入口１３０から排出すべきキャッシュカード９０をカード読取部１８０の外部に向かう排出方向Ｄｅへと搬送する。本実施例では、キャッシュカード９０の挿入方向Ｄｉは、上方にやや傾斜しつつＡＴＭ１０の前方から後方へと向かう方向であり、キャッシュカード９０の排出方向Ｄｅは、挿入方向Ｄｉとは逆に、下方にやや傾斜しつつＡＴＭ１０の後方から前方へと向かう方向である。
【００３２】
カード取扱機構１００の挿入受付部１１０は、基部１２０と、挿入口１３０と、突出部２００とを備える。本実施例では、挿入受付部１１０は、基部１２０、挿入口１３０および突出部２００を合成樹脂（プラスチック）で一体成形し、内部に板金部材による補強を設けて成る。他の実施形態において、挿入受付部１１０を、内部に板金部材による補強を設けることなく、合成樹脂のみで一体成形しても良いし、一体成形ではなく、複数の部品を組み合わせて形成しても良いし、少なくとも一部を他の材料（例えば、金属、セラミックス、ガラスなど）で形成しても良い。
【００３３】
挿入受付部１１０の基部１２０は、前面パネル１２に取り付けられ、挿入口１３０および突出部２００を支持する。本実施例では、基部１２０は、四隅を丸面取りした長方形板状の外形を成す中空体である。
【００３４】
挿入受付部１１０の挿入口１３０は、キャッシュカード９０が挿入される場所であり、カード読取部１８０へと挿入されるキャッシュカード９０を案内する。本実施例では、挿入口１３０は、キャッシュカード９０が排出される場所でもあり、カード読取部１８０から排出されるキャッシュカード９０を案内する。本実施例では、挿入口１３０は、キャッシュカード９０を短縁部９３，９４に沿って切断した長方形断面よりも大きな断面の通路を形成する筒体であり、基部１２０の中央に、基部１２０の表面から内側へと、Ｙ軸方向に沿って設けられている。
【００３５】
挿入受付部１１０の突出部２００は、挿入口１３０から前方に突出した部位であり、スキミング装置（図示しない）によるスキミングを防止する。突出部２００は、案内面２０２と、第１の制限部３１０と、第２の制限部３２０とを備える。
【００３６】
本実施例では、突出部２００は、案内面２０２、第１の制限部３１０および第２の制限部３２０を合成樹脂（プラスチック）で一体成形し、内部に板金部材による補強を設けて成る。他の実施形態において、突出部２００を、内部に板金部材による補強を設けることなく、合成樹脂のみで一体成形しても良いし、一体成形ではなく、複数の部品を組み合わせて形成しても良いし、少なくとも一部を他の材料（例えば、金属、セラミックス、ガラスなど）で形成しても良い。
【００３７】
本実施例では、突出部２００の色は、不透明のアイボリであるが、他の実施形態において、他の不透明色（例えば、白、黒）であっても良いし、透明色であっても良い。突出部２００（特に、案内面２０２）が透明色の場合には、挿入受付部１１０に取り付けられたスキミング装置（図示しない）を外部から容易に発見することができる。
【００３８】
図４は、挿入受付部１１０の外観構成を示す斜視図である。図５は、挿入受付部１１０の外観構成をキャッシュカード９０と共に示す斜視図である。図４および図５には、同じ方向から見た挿入受付部１１０の外観構成を図示した。図５には、挿入途中または排出途中にあるキャッシュカード９０と共に、挿入受付部１１０を図示した。挿入途中または排出途中にあるキャッシュカード９０の裏面９２は下方を向くことから、図５の視野では、実際には、キャッシュカード９０の磁気ストライプ９８を確認することはできないが、挿入受付部１１０と磁気ストライプ９８との位置関係を示すために、図５には、キャッシュカード９０における磁気ストライプ９８に対応する部位にハッチングを施した。
【００３９】
図６は、挿入受付部１１０を案内面２０２に沿って切断した断面を上方から見た構成を示す説明図である。図６には、案内面２０２の上方に位置する第２の制限部３２０を一点鎖線で図示した。図６には、キャッシュカード９０を二点鎖線で図示し、キャッシュカード９０が挿入口１３０に挿入される様子を示した。図６には、図５と同様に、キャッシュカード９０における磁気ストライプ９８に対応する部位にハッチングを施した。
【００４０】
突出部２００の案内面２０２は、図３〜図６に示すように、挿入口１３０へのキャッシュカード９０の挿入、および挿入口１３０からのキャッシュカード９０の排出を案内する面を構成する。本実施例では、案内面２０２は、挿入口１３０における下方の端部に隣接し、挿入口１３０から前方（Ｙ軸プラス方向）に延伸する平面である。図３に示すように、本実施例では、案内面２０２は、Ｘ軸およびＹ軸を通るＸＹ平面に略沿った平面であり、挿入口１３０から前方（Ｙ軸プラス方向）に延伸しつつ、下方（Ｚ軸マイナス方向）に向けて傾斜する。これによって、案内面２０２に付着した雨水が、案内面２０２から挿入口１３０を伝ってＡＴＭ１０の内部に入り込むことを防止することができる。
【００４１】
図３に示すように、キャッシュカード９０を挿入口１３０へと挿入する際には、案内面２０２は、キャッシュカード９０の裏面９２に対面した状態で接触しながら、案内面２０２に沿って後方（Ｙ軸マイナス方向）に向かう挿入方向Ｄｉに、キャッシュカード９０を案内する。一方、キャッシュカード９０を挿入口１３０から排出する際には、案内面２０２は、キャッシュカード９０の裏面９２に対面した状態で接触しながら、案内面２０２に沿って前方（Ｙ軸プラス方向）に向かう排出方向Ｄｅに、キャッシュカード９０を案内する。
【００４２】
図６に示すように、キャッシュカード９０を案内する際、すなわち、キャッシュカード９０が挿入口１３０を通過可能な位置関係で挿入方向Ｄｉや排出方向Ｄｅに案内面２０２上を移動する間、案内面２０２は、キャッシュカード９０の磁気ストライプ９８に対向し、キャッシュカード９０の磁気ストライプ９８は、案内面２０２をＺ軸に沿って投影した領域を外れることなく通過する。
【００４３】
突出部２００における第１の制限部３１０は、図３〜図６に示すように、案内面２０２を隔てて挿入口１３０に対向し、案内面２０２における挿入方向Ｄｉに沿ったキャッシュカード９０の移動範囲を制限する。本実施例では、第１の制限部３１０は、案内面２０２の前方（Ｙ軸プラス方向）側に隣接し、案内面２０２よりも上方（Ｚ軸プラス方向）側に隆起した部位であり、突出部２００の先端を構成する。
【００４４】
突出部２００における第２の制限部３２０は、図３〜図６に示すように、キャッシュカード９０の挿入および排出が可能な隙間Ｌｓを空けて案内面２０２に対向し、案内面２０２における上方（Ｚ軸プラス方向）に沿ったキャッシュカード９０の移動範囲を制限する。本実施例では、第２の制限部３２０と案内面２０２との間の隙間Ｌｓは、キャッシュカード９０の厚さｔｃに０．５ｍｍプラスした長さである。本実施例では、第２の制限部３２０と案内面２０２との間の隙間Ｌｓは、挿入口１３０が形成するキャッシュカード９０の通路におけるＺ軸方向の高さに等しい。
【００４５】
本実施例では、図６に示すように、第１の制限部３１０および第２の制限部３２０がキャッシュカード９０の移動範囲を制限することから、キャッシュカード９０の挿入時には、ユーザは、図６の矢印Ｄｓ１に沿って突出部２００の右側から、または図６の矢印Ｄｓ２に沿って突出部２００の左側から、キャッシュカード９０を案内面２０２上に配置することによって、挿入方向Ｄｉに沿ってキャッシュカード９０を挿入口１３０に移動させることができる。一方、キャッシュカード９０の排出時には、ユーザは、挿入口１３０から案内面２０２上に排出されたキャッシュカード９０を排出方向Ｄｅに沿って移動させた後、図６の矢印Ｄｓ１の逆方向に沿って突出部２００の右側から、または図６の矢印Ｄｓ２の逆方向に沿って突出部２００の左側から、キャッシュカード９０を取り出すことができる。このように、左右方向の両方からキャッシュカード９０の挿入および排出を行うことが可能であるため、ユーザの利き手に依らない操作性を確保することができる。
【００４６】
本実施例では、第１の制限部３１０は、面３１２と、面３１４と、面３１６とを備える。第１の制限部３１０における面３１２は、図３および図６に示すように、Ｚ軸およびＸ軸を通るＺＸ平面に略沿った平面であり、下方（Ｚ軸マイナス方向）側で案内面２０２に隣接し、案内面２０２から上方（Ｚ軸プラス方向）に延伸し、挿入口１３０に対向する。
【００４７】
第１の制限部３１０における面３１４は、図６に示すように、面３１２の右方向（Ｘ軸マイナス方向）側に隣接し、右方向（Ｘ軸マイナス方向）に向かうに従って前方（Ｙ軸プラス方向）に傾斜した平面である。本実施例では、図４〜図６に示すように、挿入口１３０の右方向（Ｘ軸マイナス方向）側には、第１の制限部３１０における面３１４と略平行な面１３４が設けられている。このように、第１の制限部３１０における面３１４、および挿入口１３０の面１３４によって、突出部２００の右側における矢印Ｄｓ１に沿ったキャッシュカード９０の移動を円滑に案内することができる。
【００４８】
第１の制限部３１０における面３１６は、図６に示すように、面３１２の左方向（Ｘ軸プラス方向）側に隣接し、左方向（Ｘ軸プラス方向）に向かうに従って前方（Ｙ軸プラス方向）に傾斜した平面である。本実施例では、図４〜図６に示すように、挿入口１３０の左方向（Ｘ軸プラス方向）側には、第１の制限部３１０における面３１６と略平行な面１３６が設けられている。このように、第１の制限部３１０における面３１６、および挿入口１３０の面１３６によって、突出部２００の左側における矢印Ｄｓ２に沿ったキャッシュカード９０の移動を円滑に案内することができる。
【００４９】
本実施例では、第２の制限部３２０は、挿入口１３０の上方から第１の制限部３１０に至るまで、案内面２０２に沿って前方（Ｙ軸プラス方向）に延伸した部位であり、案内面２０２に対向する面３２２を構成する。本実施例では、第２の制限部３２０における面３２２は、案内面２０２と略平行な平面であり、後方（Ｙ軸マイナス方向）側では挿入口１３０における上方の端部に隣接し、前方（Ｙ軸プラス方向）側では第１の制限部３１０の面３１２における上方の端部に隣接する。本実施例では、第２の制限部３２０の各角は、面取りされており、キャッシュカード９０を挿入位置へと案内する面として機能する。
【００５０】
図３および図６に示すように、本実施例では、第１の制限部３１０の面３１２と挿入口１３０との間に挟まれた案内面２０２の長さＬｇ、すなわち挿入方向Ｄｉに沿った第１の制限部３１０と挿入口１３０との間の長さは、キャッシュカード９０の長さＬｃよりも長い。これによって、挿入受付部１１０へのキャッシュカード９０の受け入れ、および挿入受付部１１０からのキャッシュカード９０の取り出しを、円滑に行うことができる。なお、スキミング防止の観点から、案内面２０２の長さＬｇは、キャッシュカード９０の長さＬｃの１．５倍未満が好ましく、キャッシュカード９０の長さＬｃの１．２倍未満が更に好ましく、キャッシュカード９０の長さＬｃの１．１倍未満が更に好ましい。
【００５１】
図６に示すように、本実施例では、挿入方向Ｄｉに直交する直交方向（Ｘ軸方向）に沿った案内面２０２の幅Ｗｇは、挿入口１３０に挿入される状態の直交方向（Ｘ軸方向）に沿ったキャッシュカード９０の幅Ｗｃよりも狭い。これによって、案内面２０２の幅Ｗｇとキャッシュカード９０の幅Ｗｃとの差に応じて、ユーザが手で掴むことが可能な掴み代をキャッシュカード９０上に確保することができるため、案内面２０２上におけるキャッシュカード９０をユーザが手で容易に取り扱うことができ、キャッシュカード９０を挿入および排出する際の操作性を向上させることができる。
【００５２】
図６の例では、案内面２０２の幅Ｗｇは、キャッシュカード９０の幅Ｗｃより一回り狭く、キャッシュカード９０の磁気ストライプ９８よりも十分に広いが、案内面２０２は、少なくとも、キャッシュカード９０が挿入口１３０に挿入される際に磁気ストライプ９８が通過する範囲に形成されていれば良く、案内面２０２の幅Ｗｇを、磁気ストライプ９８の幅にまで狭めることも可能である。案内面２０２の幅Ｗｇとキャッシュカード９０の幅Ｗｃとの差を大きくすることによって、ユーザが手で掴むことが可能なキャッシュカード９０の掴み代を拡張することができる。
【００５３】
図６に示すように、本実施例では、挿入方向Ｄｉに直交する直交方向（Ｘ軸方向）に沿った第２の制限部の幅Ｗ２は、挿入方向Ｄｉに直交する直交方向（Ｘ軸方向）に沿った案内面２０２の幅Ｗｇよりも狭い。これによって、第２の制限部の幅Ｗ２と案内面２０２の幅Ｗｇとの差に応じて、ユーザが手で掴むことが可能な掴み代をキャッシュカード９０上に確保することができるため、案内面２０２と第２の制限部３２０との間におけるキャッシュカード９０をユーザが手で容易に取り扱うことができ、キャッシュカード９０を挿入および排出する際の操作性を向上させることができる。
【００５４】
以上説明した第１実施例のＡＴＭ１０によれば、案内面２０２によって、キャッシュカード９０の挿入および排出の際にキャッシュカード９０の磁気ストライプ９８から情報を読み取り可能な位置へのスキミング装置（図示しない）の取り付けを防止することができる。また、第１の制限部３１０によって、案内面２０２における挿入口１３０側とは反対側（Ｙ軸プラス側）の端部にスキミング装置を取り付けることによるスキミングを防止することができる。
【００５５】
更に、第１実施例の突出部２００は、第２の制限部３２０を備えることから、案内面２０２に対向する第２の制限部３２０によって、案内面２０２に対するスキミング装置（図示しない）の取り付けを防止することができる。また、案内面２０２に薄型のスキミング装置が取り付けられた場合であっても、案内面２０２と第２の制限部３２０との間におけるキャッシュカード９０を挿入するための隙間Ｌｓが狭まることにより、スキミング装置が取り付けられた状態でのキャッシュカード９０の挿入を抑制し、スキミング装置によるキャッシュカード９０からの情報の読み取りを防止することができる。
【００５６】
Ｂ．第２実施例：
第２実施例のＡＴＭ１０は、案内面２０２の長さＬｇがキャッシュカード９０の長さＬｃよりも短い点を除き、第１実施例と同様である。
【００５７】
図７は、第２実施例における挿入受付部１１０を案内面２０２に沿って切断した断面を上方から見た構成を示す説明図である。図７には、案内面２０２の上方に位置する第２の制限部３２０を一点鎖線で図示した。図７には、キャッシュカード９０を二点鎖線で図示し、キャッシュカード９０が挿入口１３０に挿入される様子を示した。図７には、図６と同様に、キャッシュカード９０における磁気ストライプ９８に対応する部位にハッチングを施した。
【００５８】
図７に示すように、第２実施例では、第１の制限部３１０の面３１２と挿入口１３０との間に挟まれた案内面２０２の長さＬｇは、キャッシュカード９０の長さＬｃよりも短い。すなわち、挿入方向Ｄｉに沿った第１の制限部３１０と挿入口１３０との間の長さは、挿入口１３０に挿入される状態のキャッシュカード９０における挿入方向Ｄｉに沿った磁気ストライプ９８の長さよりも短い。なお、挿入受付部１１０に対するキャッシュカード９０の出し入れの観点から、案内面２０２の長さＬｇは、キャッシュカード９０の長さＬｃの０．８倍以上が好ましく、キャッシュカード９０の長さＬｃの０．９倍以上が更に好ましく、キャッシュカード９０の長さＬｃの０．９５倍以上が更に好ましい。
【００５９】
第２実施例では、突出部２００の右側からのキャッシュカード９０の挿入時には、ユーザは、第１の制限部３１０の面３１４および挿入口１３０の面１３４に沿って、挿入方向Ｄｉに対して斜め方向（図７の矢印Ｄｓ１）から、キャッシュカード９０を案内面２０２上に配置することによって、挿入方向Ｄｉに沿ってキャッシュカード９０を挿入口１３０に移動させることができる。また、突出部２００の左側からのキャッシュカード９０の挿入時には、ユーザは、第１の制限部３１０の面３１６および挿入口１３０の面１３６に沿って、挿入方向Ｄｉに対して斜め方向（図７の矢印Ｄｓ２）から、キャッシュカード９０を案内面２０２上に配置することによって、挿入方向Ｄｉに沿ってキャッシュカード９０を挿入口１３０に移動させることができる。
【００６０】
一方、キャッシュカード９０の排出時には、ユーザは、挿入口１３０から案内面２０２上に排出されたキャッシュカード９０を排出方向Ｄｅに沿って移動させた後、図７の矢印Ｄｓ１の逆方向に沿って突出部２００の右側、または図７の矢印Ｄｓ２の逆方向に沿って突出部２００の左側から、キャッシュカード９０を取り出すことができる。
【００６１】
以上説明した第２実施例のＡＴＭ１０によれば、案内面２０２によって、キャッシュカード９０の挿入および排出の際にキャッシュカード９０の磁気ストライプ９８から情報を読み出し可能な位置へのスキミング装置（図示しない）の取り付けを防止することができる。また、第１の制限部３１０によって、案内面２０２における挿入口１３０側とは反対側の端部にスキミング装置を取り付けることによるスキミングを防止することができる。
【００６２】
更に、第２の制限部３２０によって、案内面２０２に対するスキミング装置（図示しない）の取り付けを防止することができる。また、案内面２０２に薄型のスキミング装置が取り付けられた場合であっても、案内面２０２と第２の制限部３２０との間におけるキャッシュカード９０を挿入するための隙間Ｌｓが狭まることにより、スキミング装置が取り付けられた状態でのキャッシュカード９０の挿入を抑制し、スキミング装置によるキャッシュカード９０からの情報の読み取りを防止することができる。
【００６３】
加えて、第２実施例では、案内面２０２の長さＬｇがキャッシュカード９０の長さＬｃよりも短いことから、挿入時および排出時に案内面２０２に対向するキャッシュカード９０の領域が制限されて、磁気ストライプ９８における短縁部９３から短縁部９４に至る全域が案内面２０２に接することがないため、案内面２０２に薄型や埋込型のスキミング装置が取り付けられた場合であっても、そのようなスキミング装置によるキャッシュカード９０の磁気ストライプ９８に対するアクセス（接触または通信）を防止することができる。
【００６４】
Ｃ．第３実施例：
図８は、第３実施例における挿入受付部１１０の外観構成を示す斜視図である。図９は、第３実施例における挿入受付部１１０を右側から見た部分断面図である。図８および図９には、挿入途中または排出途中にあるキャッシュカード９０と共に、挿入受付部１１０を図示した。図８には、図５と同様に、キャッシュカード９０における磁気ストライプ９８に対応する部位にハッチングを施した。
【００６５】
第３実施例のＡＴＭ１０は、挿入受付部１１０の構成が異なる点を除き、第１実施例と同様である。第３実施例の挿入受付部１１０は、案内面２０２の長さＬｇがキャッシュカード９０の長さＬｃよりも短い点、第２の制限部３２０を備えない点、および、これらの相違に合わせて第１の制限部３１０の構成が異なる点を除き、第１実施例と同様である。
【００６６】
図８および図９に示すように、第３実施例における挿入受付部１１０の突出部２００は、案内面２０２および第１の制限部３１０を備える。第３実施例では、第１実施例と異なり、突出部２００は、第２の制限部３２０を備えず、案内面２０２の上方は開放されている。
【００６７】
図９に示すように、第３実施例における第１の制限部３１０は、案内面２０２から上方（Ｚ軸プラス方向）に隆起した部位であり、突出部２００の先端を構成する。第１の制限部３１０が案内面２０２から隆起する高さＨ１は、挿入口１３０よりも上方（Ｚ軸プラス方向）に位置する。第３実施例では、第１の制限部３１０における面３１２のＸ軸方向の幅は、案内面２０２の幅Ｗｇと略同じである。
【００６８】
図９に示すように、第３実施例では、第１の制限部３１０の面３１２と挿入口１３０との間に挟まれた案内面２０２の長さＬｇは、キャッシュカード９０の長さＬｃよりも短い。すなわち、挿入方向Ｄｉに沿った第１の制限部３１０と挿入口１３０との間の長さは、挿入口１３０に挿入される状態のキャッシュカード９０における挿入方向Ｄｉに沿った磁気ストライプ９８の長さよりも短い。なお、第３実施例における案内面２０２の長さＬｇは、挿入口１３０から挿入されるキャッシュカード９０が上部ローラ１８４および下部ローラ１８５に接触する際に挿入口１３０から外部に突出するキャッシュカード９０の突出長よりも長い。
【００６９】
第１実施例や第２実施例では、案内面２０２上へのキャッシュカード９０の受け入れ、および案内面２０２からのキャッシュカード９０の取り出しを、突出部２００の左右方向から行うことができたが、第３実施例では、案内面２０２の長さＬｇが第２実施例よりも更に短いことから、第１実施例や第２実施例のように左右方向から行うことができない。第３実施例では、図９に示すように、キャッシュカード９０の挿入時には、ユーザは、キャッシュカード９０を弾性変形させながら第１の制限部３１０の上方から挿入口１３０へと挿入方向Ｄｉに沿って移動させることによって、キャッシュカード９０を挿入口１３０に挿入することができる。一方、キャッシュカード９０の排出時には、ユーザは、挿入口１３０から案内面２０２上に排出されたキャッシュカード９０を排出方向Ｄｅに沿って移動させ、弾性変形させながら第１の制限部３１０の上方に引き抜くことによって、キャッシュカード９０を取り出すことができる。
【００７０】
以上説明した第３実施例のＡＴＭ１０によれば、案内面２０２によって、キャッシュカード９０の挿入および排出の際にキャッシュカード９０の磁気ストライプ９８から情報を読み出し可能な位置へのスキミング装置（図示しない）の取り付けを防止することができる。また、第１の制限部３１０によって、案内面２０２における挿入口１３０側とは反対側の端部にスキミング装置を取り付けることによるスキミングを防止することができる。
【００７１】
また、第２実施例では、案内面２０２の長さＬｇがキャッシュカード９０の長さＬｃよりも短いことから、挿入時および排出時に案内面２０２に対向するキャッシュカード９０の領域が制限されて、磁気ストライプ９８における短縁部９３から短縁部９４に至る全域が案内面２０２に接することがないため、案内面２０２に薄型や埋込型のスキミング装置が取り付けられた場合であっても、そのようなスキミング装置によるキャッシュカード９０の磁気ストライプ９８に対するアクセス（接触または通信）を防止することができる。
【００７２】
Ｄ．第４実施例：
図１０は、第４実施例における挿入受付部１１０の外観構成を示す斜視図である。図１１は、図１０に示す矢視Ａ−Ａで切断した突出部２００を示す断面図である。図１０には、挿入途中または排出途中にあるキャッシュカード９０と共に、挿入受付部１１０を図示した。
【００７３】
第４実施例のＡＴＭ１０は、挿入受付部１１０の構成が異なる点を除き、第１実施例と同様である。第４実施例の挿入受付部１１０は、第３の制限部３３０を備える点に加え、この第３の制限部３３０に合わせて各部の形状を調整した点を除き、第１実施例と同様である。
【００７４】
図１０に示すように、第４実施例における挿入受付部１１０の突出部２００は、案内面２０２と、第１の制限部３１０と、第２の制限部３２０と、第３の制限部３３０とを備える。
【００７５】
本実施例では、突出部２００は、案内面２０２、第１の制限部３１０、第２の制限部３２０および第３の制限部３３０を合成樹脂（プラスチック）で一体成形し、内部に板金部材による補強を設けて成る。他の実施形態において、突出部２００を、内部に板金部材による補強を設けることなく、合成樹脂のみで一体成形しても良いし、一体成形ではなく、複数の部品を組み合わせて形成しても良いし、少なくとも一部を他の材料（例えば、金属、セラミックス、ガラスなど）で形成しても良い。
【００７６】
本実施例では、突出部２００の色は、不透明のアイボリであるが、他の実施形態において、他の不透明色（例えば、白、黒）であっても良いし、透明色であっても良い。突出部２００（特に、案内面２０２、第２の制限部３２０）が透明色の場合には、挿入受付部１１０に取り付けられたスキミング装置（図示しない）を外部から容易に発見することができる。
【００７７】
突出部２００における第３の制限部３３０は、挿入方向Ｄｉから見た案内面２０２の両側（左側および右側）のうち、挿入口１３０に挿入される状態でキャッシュカード９０の磁気ストライプ９８が通過する側に、挿入方向Ｄｉに沿って形成され、案内面２０２におけるＸ軸方向に沿ったキャッシュカード９０の移動範囲を制限する。
【００７８】
本実施例では、挿入口１３０に挿入される状態でキャッシュカード９０の磁気ストライプ９８が、挿入方向Ｄｉから見た案内面２０２の右側（Ｘ軸マイナス側）を通過することから、第３の制限部３３０は、挿入方向Ｄｉから見た案内面２０２の右側（Ｘ軸マイナス側）に形成され、案内面２０２における右方向（Ｘ軸マイナス方向）に沿ったキャッシュカード９０の移動範囲を制限する。他の実施形態において、挿入口１３０に挿入される状態でキャッシュカード９０の磁気ストライプ９８が、挿入方向Ｄｉから見た案内面２０２の左側（Ｘ軸プラス側）を通過する場合には、第３の制限部３３０を、挿入方向Ｄｉから見た案内面２０２の左側（Ｘ軸プラス側）に形成し、案内面２０２における左方向（Ｘ軸プラス方向）に沿ったキャッシュカード９０の移動範囲を制限しても良い。
【００７９】
本実施例では、図１１に示すように、第３の制限部３３０は、面３３２を備える。第３の制限部３３０における面３３２は、Ｙ軸およびＺ軸を通るＹＺ平面に沿った平面であり、下方（Ｚ軸マイナス方向）側で案内面２０２に隣接し、上方（Ｚ軸プラス方向）側で第２の制限部３２０における面３２２に隣接する。面３２２の高さ（Ｚ軸に沿った長さ）は、案内面２０２と第２の制限部３２０との隙間Ｌｓに等しい。
【００８０】
第１実施例では、案内面２０２上へのキャッシュカード９０の受け入れ、および案内面２０２からのキャッシュカード９０の取り出しを、突出部２００の左右方向から行うことができたが、第４実施例では、案内面２０２の右側（Ｘ軸マイナス側）に第３の制限部３３０を設けたことから、案内面２０２の左側（Ｘ軸プラス側）からのみ行うことが可能である。
【００８１】
以上説明した第４実施例のＡＴＭ１０によれば、案内面２０２によって、キャッシュカード９０の挿入および排出の際にキャッシュカード９０の磁気ストライプ９８から情報を可能な位置へのスキミング装置（図示しない）の取り付けを防止することができる。また、第１の制限部３１０によって、案内面２０２における挿入口１３０側とは反対側の端部にスキミング装置を取り付けることによるスキミングを防止することができる。
【００８２】
更に、第２の制限部３２０によって、案内面２０２に対するスキミング装置（図示しない）の取り付けを防止することができる。また、案内面２０２に薄型のスキミング装置が取り付けられた場合であっても、案内面２０２と第２の制限部３２０との間におけるキャッシュカード９０を挿入するための隙間Ｌｓが狭まることにより、スキミング装置が取り付けられた状態でのキャッシュカード９０の挿入を抑制し、スキミング装置によるキャッシュカード９０からの情報の読み取りを防止することができる。
【００８３】
加えて、第４実施例では、第３の制限部３３０によって、キャッシュカード９０の磁気ストライプ９８が通過する案内面２０２の領域に対するスキミング装置（図示しない）の取り付けを一層防止することができる。
【００８４】
Ｅ．その他の実施形態：
以上、本発明の実施の形態について説明したが、本発明はこうした実施の形態に何ら限定されるものではなく、本発明の趣旨を逸脱しない範囲内において様々な形態で実施し得ることは勿論である。
【００８５】
例えば、本発明の記録媒体取扱装置は、ＡＴＭへの適用に限るものではなく、現金自動支払機（ＣＤ）などの他の現金取扱装置に適用しても良いし、カード読取装置（カードリーダ）、自動券売機、自動販売機などの他の装置に適用しても良い。
【００８６】
また、本発明の記録媒体取扱装置が取り扱う記録媒体は、キャッシュカードに限るものではなく、クレジットカード、プリペイドカード、乗車カード、認証カードなどの他のカードであっても良いし、磁気記録面を有する切符や入場券であっても良いし、磁気ストライプを有する取引通帳など他の記録媒体であっても良い。
【００８７】
また、上述した実施例では、突出部２００の案内面２０２は、キャッシュカード９０の磁気ストライプ９８に対向するものに限らず、種々の記録媒体の読取可能部に対向する面として構成することができる。例えば、記録媒体の表面に記録された文字情報や図形情報に対向する面として案内面２０２を構成しても良いし、ＩＣチップを内蔵する記録媒体の場合には、ＩＣチップと通信可能な領域に対向する面として案内面２０２を構成しても良い。
【００８８】
また、ＡＴＭ１０は、上述した複数の動作ユニットを備えるものに限るものではなく、実施態様に応じて適宜、他の動作ユニットを追加しても良いし、いずれかの動作ユニットを削除しても良い。このような他の実施形態としては、ユーザの本人確認に生体認証を行う態様では、ユーザの生体情報を取得する動作ユニットを追加しても良い。また、取引通帳を用いない態様では、通帳取扱機構４００を備えない構成としても良いし、紙幣のみを取り扱う態様では、硬貨入出金機構７００を備えない構成としても良い。また、ＡＴＭ１０における各種の動作ユニットの配置は、実施態様に応じて適宜、変更することができる。
【００８９】
また、上述した実施例では、カード取扱機構１００の挿入受付部１１０を、前面パネル１２の平坦な部分に設けたが、他の実施形態において、前面パネル１２をＡＴＭ１０の後方へと部分的に窪ませ、その窪ませた部分にカード取扱機構１００の挿入受付部１１０を設けても良い。これによって、カード取扱機構１００の前方における空間を拡張することができる。
【００９０】
また、上述した実施例では、裏面９２を下方（Ｚ軸マイナス方向）に向けた状態で挿入されたキャッシュカード９０を正常な挿入として受け入れることから、突出部２００の案内面２０２を、上方（Ｚ軸プラス方向）に向く平面として構成したが、他の実施形態において、キャッシュカード９０の裏面９２を上方（Ｚ軸プラス方向）に向けた状態で挿入する場合には、突出部２００の案内面２０２を、下方（Ｚ軸マイナス方向）に向く平面として構成しても良い。この他、キャッシュカード９０の裏面９２を右方向（Ｘ軸マイナス方向）に向けた状態で挿入する場合には、突出部２００の案内面２０２を、左方向（Ｘ軸プラス方向）に向く平面として構成しても良いし、キャッシュカード９０の裏面９２を左方向（Ｘ軸プラス方向）に向けた状態で挿入する場合には、突出部２００の案内面２０２を、右方向（Ｘ軸マイナス方向）に向く平面として構成しても良い。
【００９１】
また、前述した第１実施例に関し、第１の制限部３１０における面３１４，３１６は必須の構成ではなく、他の実施形態において、第１の制限部３１０に面３１４，３１６を形成することなく、第１の制限部３１０における面３１２を案内面２０２の幅Ｗｇと等しい幅で形成しても良い。
【００９２】
また、前述した第１実施例および第３実施例に関し、挿入口１３０の面１３４，１３６は必須の構成ではなく、他の実施形態において、挿入口１３０に面１３４，１３６を形成しなくても良い。
【００９３】
また、前述した第４実施例に関し、第１の制限部３１０の面３１６、および挿入口１３０の面１３６は必須の構成ではなく、他の実施形態において、第１の制限部３１０の面３１６、および挿入口１３０の面１３６の少なくとも一方を形成しなくても良い。
【００９４】
また、前述した第１実施例および第２実施例では、突出部２００における案内面２０２は、基部１２０および第１の制限部３１０に連続した構成であったが、他の実施形態において、基部１２０に連続し、第１の制限部３１０から分離した構成であっても良いし、逆に、基部１２０とは直接的には連続せず、第１の制限部３１０および第２の制限部３２０を介して基部１２０に連続する構成であっても良い。
【００９５】
また、前述した第１実施例および第２実施例では、突出部２００における第１の制限部３１０は、案内面２０２および第２の制限部３２０に連続した構成であったが、他の実施形態において、案内面２０２に連続し、第２の制限部３２０から分離した構成であっても良いし、逆に、案内面２０２から分離し、第２の制限部３２０に連続する構成であっても良い。
【００９６】
また、前述した第１実施例および第２実施例では、突出部２００における第２の制限部３２０は、基部１２０および第１の制限部３１０に連続した構成であったが、他の実施形態において、基部１２０に連続し、第１の制限部３１０から分離した構成であっても良いし、逆に、基部１２０とは直接的には連続せず、第１の制限部３１０および案内面２０２を介して基部１２０に連続する構成であっても良い。
【００９７】
また、突出部２００の内部に導通ケーブルを設け、導通ケーブルの導通状態を監視することによって、突出部２００の破損を検知しても良い。また、突出部２００の内部に光ケーブルを設け、光ケーブルの導光状態を監視することによって、突出部２００の破損を検知しても良い。
【符号の説明】
【００９８】
１２…前面パネル
１４…操作テーブル
９０…キャッシュカード
９１…表面
９２…裏面
９３，９４…短縁部
９５，９６…長縁部
９８…磁気ストライプ
１００…カード取扱機構
１１０…挿入受付部
１２０…基部
１３０…挿入口
１３４…面
１３６…面
１８０…カード読取部
１８２…カード口センサ
１８４…上部ローラ
１８５…下部ローラ
１８８…磁気ヘッド
２００…突出部
２０２…案内面
３１０…第１の制限部
３１２…面
３１４…面
３１６…面
３２０…第２の制限部
３２２…面
３３０…第３の制限部
３３２…面
４００…通帳取扱機構
５００…操作受付機構
６００…紙幣入出金機構
７００…硬貨入出金機構
８００…明細票発行機構
【図１】
2013014706.tif 000003
【図２】
2013014706.tif 000004
【図３】
2013014706.tif 000005
【図４】
2013014706.tif 000006
【図５】
2013014706.tif 000007
【図６】
2013014706.tif 000008
【図７】
2013014706.tif 000009
【図８】
2013014706.tif 000010
【図９】
2013014706.tif 000011
【図１０】
2013014706.tif 000012
【図１１】
2013014706.tif 000013
【国際調査報告】
2013014706.tif 000014
2013014706.tif 000015